(57)【特許請求の範囲】
【請求項１】
電源と装置との間に設けられる電源スイッチと、
上記装置が所定の時間以上の間、継続して操作されていないことを検出する検出手段と、
検出手段により、上記装置が所定時間以上操作されていないことが検出された場合、電源スイッチをオフに切り換える電源遮断手段と、
電源遮断手段により電源スイッチがオフに切り換えられた後に、次に電源スイッチがオンに切り換えられるまでの時間を測定する測定手段と、
上記装置が操作されていない時間である上記所定時間と測定手段により測定された時間とに基づいて、上記所定時間と上記測定された時間との和が所定の基準値未満である場合には、上記和が上記基準値よりも大きくなるように、上記検出手段の検出する上記所定の時間の値を補正する補正手段とを備えることを特徴とする自動電源オフ回路。
【発明の詳細な説明】
【０００１】
【発明の属する技術分野】
本発明は、複写機やプリンタ等に備えられ、一定時間、装置が操作されない場合に、自動的に電源スイッチをオフにする自動電源オフ回路に関する。
【０００２】
【従来の技術】
従来より、無駄な電力の消費を抑えるため、装置が一定時間操作されない場合に、自動的に電源スイッチをオフにする自動電源オフ回路を備える複写機やプリンタ等が知られている。
【０００３】
【発明が解決しようとする課題】
上記の自動電源オフ回路を備える複写機やプリンタ等において、無駄な電力の消費を抑えることのみを目的とすれば、自動電源オフ回路が当該複写機やプリンタ等の装置の操作がされなくなってから電源スイッチをオフに切り換えるまでの時間（以下、この時間をＴという）は、短い方が好ましい。ところが、上記時間Ｔの値が、実際に装置を使用する平均的な間隔（以下、この時間をｔという）よりも短い場合、頻繁に装置の電源が切られることとなる。このような場合、電源スイッチのオン／オフが頻繁に繰り返されることとなり、その寿命を著しく縮めることになるといった別の問題が生じる。このように、無駄な電力の消費を抑えつつ、かつ不必要に電源スイッチの切換が行なわれないように時間Ｔを設定することは難しい。
【０００４】
本発明の目的は、装置の使用状況に応じて、より適切なタイミングで機能する自動電源オフ回路を提供することである。
【０００５】
【課題を解決するための手段】
本発明の自動電源オフ回路は、電源と装置との間に設けられる電源スイッチと、上記装置が所定の時間以上の間、継続して操作されていないことを検出する検出手段と、検出手段により、上記装置が所定時間以上操作されていないことが検出された場合、電源スイッチをオフに切り換える電源遮断手段と、電源遮断手段により電源スイッチがオフに切り換えられた後に、次に電源スイッチがオンに切り換えられるまでの時間を測定する測定手段と、上記装置が操作されていない時間である上記所定時間と測定手段により測定された時間とに基づいて、上記所定時間と上記測定された時間との和が所定の基準値未満である場合には、上記和が上記基準値よりも大きくなるように、上記検出手段の検出する上記所定の時間の値を補正する補正手段とを備える。
【０００６】
【発明の実施の形態】
以下、添付の図面を用いて、本発明の自動電源オフ回路を適用した複写機について説明する。
図１は、本発明の自動電源オフ回路を適用した複写機の断面図である。本複写機は、原稿の画像データを読み取る画像読み取り部２１０及び電子写真方式を採用する画像形成部２５０とに大きく分けられる。
画像読み取り部２１０において、原稿台ガラス１上に下向きに載置された原稿は、露光ランプ２により照射される。原稿面からの反射光は、ロッドレンズアレイ３を介してＣＣＤセンサ４上に結像する。露光ランプ２、ロッドレンズアレイ３、及び、ＣＣＤセンサ４よりなるスキャナ５は、モータ７の働きにより副走査方向（矢印の方向）に移動して原稿全面を走査する。ＣＣＤセンサ４は、入射した原稿の反射光をアナログの電気信号に変換して出力する。ＣＣＤセンサ４より出力される電気信号は、画像処理回路６において、シェーディング補正等が施された後、８ビットの階調データに変換された後に、次の電子写真画像形成部２５０へと出力される。
電子写真画像形成部２５０における画像形成処理は、以下のように行われる。プリントヘッド部２０は、入力される８ビットの階調データに対して、所定のＭＴＦ補正や階調補正等を施した後に、当該データに基づいて、レーザビームを発光する。プリントヘッド部２０より発光されたレーザビームは、ミラー２１を介して感光体ドラム２２を露光する。感光体ドラム２２は、１複写毎に露光を受ける前に帯電チャージャ２３により所定の電位に一様に帯電されている。この状態で露光を受けると、感光体ドラム２２上には、原稿の静電潜像が形成される。感光体ドラム２２上に形成された静電潜像は、トナー現像器２４により現像される。給紙カセット５０より用紙が給紙され、静電吸着チャージャ２８の働きにより転写ドラム２５に巻き付けられる。転写部では、転写チャージャ２９により、感光体ドラム２２上に現像されたトナー像が搬送されてくる用紙上に転写される。転写後の用紙は、分離爪３０により転写ドラム２５から剥離され、搬送ベルト３１により搬送された後、定着ローラ対３２により加熱定着処理が施される。定着後の用紙は、搬送ローラ３３により排紙トレイ３４に排出される。
なお、ＤＣ電源部２０１は、電源スイッチ１００のオンに応じて外部より供給される交流電源を、直流電源に変換して複写機内部へ出力する。
上記構成の複写機では、コピー動作を行っておらず、ユーザによる次の操作を待機している状態（以下、この状態を待機状態という）においても、定着ローラ対３２の加熱ヒータは、定着器の温度維持のためオン／オフを繰り返し、また、露光ランプ２は一定の電力を消費する。後に説明するが、本複写機では、待機状態が長く続くことによる無駄な電力の消費を防止することを目的として、この待機状態が、設定時間Ｔ１だけ継続した場合に、電源スイッチ１００をオフに切り換えて、ＤＣ電源部２０１、スキャナ５の備える露光ランプ２、及び、定着ローラ対３２の加熱ヒータ等の負荷への電力供給を停止する処理（自動電源オフ処理）を実行する。さらに、本複写機では、自動電源オフ処理により電源スイッチ１００がオフに切り換えられた後に、ユーザにより電源スイッチ１００が再びオンに切り換えられるまでの時間Ｔ２に基づいて、複写機の使用頻度を調べ、その頻度に応じて、上記設定時間Ｔ１を、無駄な電力の消費を抑えつつ、かつ、不必要に電源スイッチの切り換えが行なわれない値に補正する。
【０００７】
図２は、本複写機の回路構成を示す。商用電源に接続される１次側回路には、電源スイッチ１００の接点１０１ａ，１０１ｂを通して、複写機の各負荷が接続されている。負荷としては、主に、定着ローラ対３２の定着ローラを加熱するヒータランプ２０２、露光用ハロゲンランプ２、及び、ＤＣ電源部２０１等がある。電源スイッチ１００は、利用者の操作によりオン／オフされる。この電源スイッチ１００のオンにより複写機内部へ電源が供給される。電源スイッチ１００の内部には、電磁コイル１０２と鉄心１０３が設置されており、電磁コイル１０２に通電することにより、接点１０１ａ，１０１ｂが開放され、電源スイッチ１００がオフに切り変わる構成になっている。なお、制御部１０５は、電源スイッチ１００がオンに切り換えられて、ＤＣ電源部２０１からの電力供給を受けることで動作可能となる。電源投入時、電磁コイル１０２には電力が供給されていない。制御部１０５は、複写機に何らかのトラブルが発生した場合、又は、自動電源オフ機能を働かせる条件が満たされた場合に電磁コイル１０２に電力を供給してスイッチ１０１をオフに切り換えて各負荷への電力供給を停止する。電源検出部１０４は、ユーザの操作により電源スイッチ１００がオフに切り換えられたことを検出する。なお、ＤＣ電源部２０１は、電源スイッチ１００がオフに切り換えられてＡＣ入力が遮断されてから数十ｍｓが経過した後に出力が停止する。電源検出部１０４は、電源スイッチ１００がオフに切り換えられてＡＣ入力が遮断してから、上記のＤＣ電源部２０１の遅延出力に比べて十分に短い所定時間内に検出出力が切り変わるように時定数が設定されている。制御部１０５は、電源スイッチ１００がオフに切り換えられ、ＤＣ電源部２０１から供給される電力が所定値以下になった場合に制御動作を停止するが、上記するように制御動作の停止前に電源検出部１０４からの検出信号を受け取ることができるため、後述の自動電源オフ処理（電源スイッチ１００をオフに切り換えたときの時刻データのメモリ１２０への書き込み）を確実に実行することができる。
【０００８】
図３は、制御部１０５のブロック図である。制御部１０５は、中央演算処理装置（以下、ＣＰＵという）１１０を中心として構成される。ＣＰＵ１１０は、複写機全体を統括制御する。クロック１１１は、電池によりバックアップされており、複写機がユーザによる操作の待機中になってからの経過時間Ｔａを測定するほか、複写機本体の電源が切られた時刻のデータＤｏｆｆと、次に電源が投入された時刻のデータＤｏｎを、同じく電池でバックアップされているメモリ１２０に保存する。ＣＰＵ１１０には、複写動作を実行するための駆動用モータやクラッチやヒータランプ２０２等の複写機内部の負荷２００が接続されている。ＣＰＵ１１０は、これらの負荷２００からの信号に基づいて、ユーザによる操作の待機中を含む、複写機の動作状態を認識する。ＣＰＵ１１０は、操作パネル３００に設ける表示部３０１（図４を参照）の表示を制御するコントロールＩＣ（図示せず）と接続されており、当該ＩＣに所定の制御信号を送ることで、表示部に複写動作の操作に必要な各種の情報を表示させる。ＣＰＵ１１０は、クロック１１１により測定された時間Ｔａが所定の値Ｔ１以上になった場合に、電源スイッチ１００に対して信号を送り、電磁コイル１０２を駆動させて、スイッチ１０１ａ及び１０１ｂをオフに切り換える。なお、この電源を自動的に遮断するまでの時間Ｔ１は、操作パネル３００を介して任意に設定することができる。設定された時間Ｔ１は、メモリ１２０に保存される。また、ＣＰＵ１１０は、バスを介してその他のＣＰＵと接続されており、これら他のＣＰＵと情報の受け渡しを行うことで、複写機全体を制御する。電源検出部１０４は、ユーザの操作により電源スイッチ１００がオフに切り換えられたことを検出し、ＣＰＵ１１０に対して所定の検出信号を出力する。
【０００９】
図４は、操作パネル３００の正面図である。タッチパネル式の液晶表示部３０１は、コピー枚数、コピー倍率、用紙サイズ、及び、自動電源オフの設定持間Ｔ１等の入力ガイドを表示する他、自動補正時の警告メッセージ、マシントラブル時の警告メッセージ等の各種のメッセージの表示を行う。テンキー３０２は、コピー枚数、コピー倍率を入力するためのキーである。スタートキー３０３は、コピーを開始するためのキーである。キー３０４は、複写機が待機状態になってから自動的に電源をオフにするまでの時間Ｔ１を設定する入力モードにはいるためのキーである。この入力モードの設定時において、ｕｐキー３０５及びｄｏｗｎキー３０６を操作することで、時間Ｔ１を長くしたり、短くしたりすることができる。なお、時間Ｔ１は、テンキー３０２により直接入力することができる。
【００１０】
図５は、ＣＰＵ１１０の実行する制御処理における電源スイッチ１００のオン／オフの状態と、電磁コイル１０２への電流の供給のタイミングを表す図である。タイミングｔ１でコピーが終了した後、ユーザにより何の操作もされない待機状態が一定の時間Ｔ１だけ経過した場合、この時間Ｔ１を経過したタイミングｔ２において、電磁コイル１０２に電流が供給され、電源スイッチ１００がオフに切り換えられる。
制御部１０５に備えるクロック１１１は、複写機の電源がオフされてから電源が再び投入されるまでの時間Ｔ２（タイミングｔ２からタイミングｔ３までの時間）を測定する。この時間Ｔ２は、コピーの使用頻度の多い環境下にあるときには短くなる。この結果、頻繁に自動電源オフ機能の働きによる電源スイッチ１００のオフへの切り換えと、ユーザによる再投入が繰り返されることになる。電源スイッチ１００の接点１０１ａ及び１０１ｂは、解放時に負荷のコイル成分Ｌにより、アーク放電が発生し、接触面が荒れて劣化する。このアーク放電は、接点の開放速度の速い電磁コイル１０２による開放の場合に生じやすい。この電源スイッチ１００が劣化するのを防ぐには、図６に示すように、自動電源オフ機能を働かすまでの待機時間の値Ｔ１’を、例えば、Ｔ１＋Ｔ２より大きな値に補正して、電源スイッチ１００が不必要にオフされる回数を減少させればよい。以下に説明するが、本複写機では、ユーザの使用頻度、即ち、その使用間隔の平均値に基づいて、設定時間Ｔ１を適切な値に補正する。
【００１１】
図７は、ＣＰＵ１１０の実行する制御処理のメインルーチンのフローチャートである。まず、電源スイッチ１００が切り換えられて複写機の電源がオンにされると、ＣＰＵ１１０に電力が供給され、以下の処理が開始される。まず、各種ＲＡＭのデータクリアや各種フラグのリセットなどの初期設定を行う（ステップＳ１）。次に、１ルーチンの処理時間を規定するため、ＣＰＵ１１０のクロックを基準としたハードタイマによる内部タイマをスタートさせる（ステップＳ２）。そして、自動電源オフ機能を働かせるまでの時間Ｔ１を設定するオフ時間設定処理サブルーチンを実行する（ステップＳ３）。そして、自動電源オフ処理サブルーチンにおいて、設定されている時間Ｔ１以上の待機時間が経過した場合には自動で電源をオフに切り換え、更に、ユーザの使用頻度に応じて上記の時間Ｔ１を補正する（ステップＳ４）。引き続きその他の各種処理を行い（ステップＳ５）、設定されているモードに応じたコピー動作を実行する（ステップＳ６）。コピー動作が終了すると、内部タイマが終了したかを判断する（ステップＳ７）。ここで、内部タイマが終了していない場合には（ステップＳ７でＮＯ）、タイマが終了するのを待機する。内部タイマが終了した場合には（ステップＳ７でＹＥＳ）、上記ステップＳ２へ戻り、これら一連の処理を繰り返し実行する。このように、各種の動作制御は、内部タイマの終了を基準とした一定の処理時間で繰り返されるメインルーチンを１単位としたカウンタ値によって行われる。
【００１２】
図８は、オフ時間設定処理サブルーチン（図７、ステップＳ３）のフローチャートである。まず、操作パネル３００上に設ける自動オフ時間設定キー３０４が押下されて入力モードが設定されているか否かを判断する（ステップＳ１０）。ここで、入力モードが設定されていない場合には（ステップＳ１０でＮＯ）、直ちにリターンする。一方、入力モードが設定されている場合には（ステップＳ１０でＹＥＳ）、設定されている時間Ｔ１の値を液晶表示部３０１に表示する（ステップＳ１１）。ここで、ｕｐキー３０５について調べる（ステップＳ１２）。ｕｐキー３０５が押下されていない場合には（ステップＳ１２でＮＯ）、直ちにステップＳ１５へと進む。一方、ｕｐキー３０５が押下された場合（ステップＳ１２でＹＥＳ）、設定されている時間Ｔ１と最大値Ｔ１ｍａｘとを比較する（ステップＳ１３）。時間Ｔ１が最大値Ｔ１ｍａｘでなければ（ステップＳ１３でＮＯ）、時間Ｔ１の値を１段階だけ大きくする（ステップＳ１４）。一方、時間Ｔ１が最大値Ｔ１ｍａｘの場合には（ステップＳ１３でＹＥＳ）、ステップＳ１４をスキップしてステップＳ１５に進む。次に、ｄｏｗｎキー３０６について調べる（ステップＳ１５）。ｄｏｗｎキー３０６が押下された場合（ステップＳ１５でＹＥＳ）、時間Ｔ１と最小値Ｔ１ｍｉｎとを比較する（ステップＳ１６）。ここで、時間Ｔ１が最小値Ｔ１ｍｉｎでなければ（ステップＳ１６でＮＯ）、時間Ｔ１の値を１段階小さくする（ステップＳ１７）。一方、時間Ｔ１が最小値Ｔ１ｍｉｎの場合には（ステップＳ１６でＹＥＳ）、ステップＳ１７をスキップしてステップＳ１８へ進む。即ち、上記ステップＳ１２〜Ｓ１７では、ｕｐキー３０５、ｄｏｗｎキー３０６の押下に応じて、その値が限界値になるまで設定時間Ｔ１が増減される。スタートキー３０３等特定のキーが押下されたか否かをチェックすることで、キー入力の終了を判断する（ステップＳ１８）。キー入力の終了の場合には（ステップＳ１８でＹＥＳ）、メモリ１２０に記憶する時間Ｔ１のデータを更新する（ステップＳ１９）。キー入力の終了がなされない場合には（ステップＳ１８でＮＯ）、メモリ１２０に記憶するデータの更新を行なわずに、そのままリターンする。
【００１３】
図９は、自動電源オフ処理サブルーチン（図６、ステップＳ４）のフローチャートである。まず、コピー動作が終了しているか否かを判断する（ステップＳ３０）。ここで、コピー動作が終了していれば（ステップＳ３０でＹＥＳ）、待機状態が時間Ｔ１以上継続した場合に、電源スイッチ１００をオフに切り換える以下の処理（ステップＳ３１〜Ｓ３６）を実行する。まず、フラグｆａがリセットされている状態かどうか（０か否か）を調べる（ステップＳ３１）。ここで、フラグｆａが０であれば（ステップＳ３１でＹＥＳ）、クロック１１１を利用して待機時間を測定するタイマーＴａをスタートすると共に、フラグｆａを１にセットする（ステップＳ３２）。既にフラグｆａの値が１にセットされている場合には（ステップＳ３１でＮＯ）、ステップＳ３２をスキップしてステップＳ３３へ進む。次に、タイマＴａの値が設定時間Ｔ１に達しているか否かを判断する（ステップＳ３３）。ここで、タイマＴａの値が設定時間Ｔ１に達している場合には（ステップＳ３３でＹＥＳ）、電磁コイル１０２をオンにして電源スイッチ１００をオフに切り換えると共に、フラグｆｂを１にセットする（ステップＳ３４）。さらに、このときのクロック１１１から時刻データを変数Ｄｏｆｆにセットして（ステップＳ３５）、メモリ１２０の更新を行う（ステップＳ３６）。なお、コピー動作中の場合（ステップＳ３０でＮＯ）、又は、待機中ではあるが、タイマＴａの値が設定時間Ｔ１に達していない場合（ステップＳ３３でＮＯ）、直ちにステップＳ３７へと進む。次に、プリントキー３０３が押下されてコピー動作が開始されたか否かを判断する（ステップＳ３７）。ここで、コピー動作が開始された場合（ステップＳ３７でＹＥＳ）、タイマーＴａをクリアすると共に、フラグｆａをリセットして０にする（ステップＳ３８）。なお、コピー動作が開始されていない場合には（ステップＳ３７でＮＯ）、ステップＳ３８の処理はスキップしてステップＳ３９へと進む。
引き続き、自動電源オフ機能により装置の電源スイッチ１００がオフにされた後に、次に電源がオンにされるまでの時間Ｔ２に基づいて、上記設定時間Ｔ１の値を補正する以下の処理を実行する（ステップＳ３９〜Ｓ４９）。まず、フラグｆｂの値を調べる（ステップＳ３９）。このフラグｆｂは、現在の前の電源オフがユーザの操作によるものか、自動電源オフによるものであるかを示すものであり、０であれば、前回の電源オフがユーザの操作によるものであるため（ステップＳ３９でＮＯ）、直ちにリターンする。一方、フラグｆｂが１にセットされている場合には、自動電源オフ機能により電源スイッチ１００がオフに切り換えられていたと判断し（ステップＳ３９でＹＥＳ）、引き続き、フラグｆｃの値を調べる（ステップＳ４０）。このフラグｆｃは、設定時間Ｔ１の補正の有無を表すものであり、１にセットされている場合には（ステップＳ４０でＮＯ）、既に補正が行われているため、直ちにリターンする。一方、フラグｆｃが０の場合には（ステップＳ４０でＹＥＳ）、クロック１１１から時刻データを変数Ｄｏｎにセットすると共に（ステップＳ４１）、メモリ１２０より変数Ｄｏｆｆを読み出し（ステップＳ４２）、ＤｏｎとＤｏｆｆとの差である時間Ｔ２を求める（ステップＳ４３）。なお、ここで、自動電源オフ機能が動作したことを表すメッセージを表示部３０１に表示すれば、ユーザに無用な不安感を与えずに済む。次のステップＳ４４及びＳ４５において、過去ｎ回分の設定時間Ｔ１及び時間Ｔ２との和の平均値を求める。即ち、メモリ１２０にストアされている過去の設定時間Ｔ１及び時間Ｔ２の累計値Ｔｂと、今回の設定時間Ｔ１及び時間Ｔ２の合計を求め、累計値Ｔｂを更新すると共に、カウンタｎｂを１つカウントアップする（ステップＳ４４）。そして、このカウンタｎｂがｎになったか否かを判断する（ステップＳ４５）。このカウンタｎｂの値がｎでない場合には（ステップＳ４５でＮＯ）、直ちにリターンする。一方、カウンタｎｂの値がｎになった場合（ステップＳ４５でＹＥＳ）、累計値Ｔｂをｎで割ったものをＴｂとして、過去ｎ回分の平均値を求める（ステップＳ４６）。求めた設定時間Ｔ１及び時間Ｔ２の和の平均値、つまりＴｂが所定の基準値Ｔｒｅｆ未満か否かを判断する（ステップＳ４７）。ここで、ＴｂがＴｒｅｆ以上の場合には（ステップＳ４７でＮＯ）、直ちにリターンする。一方、ＴｂがＴｒｅｆに満たない場合には（ステップＳ４７でＹＥＳ）、設定時間Ｔ１の値を基準値Ｔｒｅｆに補正し、メモリ１２０にストアしている過去ｎ回分のデータをクリアし、この処理の有無を表すフラグｆｃを１にセットする（ステップＳ４８）。そして、メモリ１２０に記憶する設定時間Ｔ１のデータを更新し、この設定時間の補正が行われたことを操作パネル３００に備える液晶表示部３０１に表示する（ステップＳ４９）。このように、電源スイッチ１００の再投入までの時間の平均値が基準値Ｔｒｅｆに比べて短い場合には、設定時間をこの基準値Ｔｒｅｆにして不必要に電源スイッチがオン／オフされることを防止し、電源スイッチの早期劣化を防止する。
なお、上記基準値Ｔｒｅｆは、待機状態において、電源スイッチ１００の耐久度、その交換に要する費用、そして、単位時間当たりに無駄に消費される電力の量等を考慮して特定すればよい。
更に、自動電源オフとした場合に、電源検出部１０４の出力をモニタすれば、電源スイッチ１００の接点が開放されていることがわかる。このため、所定の期間、自動電源オフが動作しない時には、定期的に自動電源オフ動作を行い、電源検出部１０４の出力を使って電源スイッチ１００の動作チェックを行うことができる。この動作チェック時に、電源検出部１０４の出力に変化がなければ、電源スイッチ１００の動作不良として警告を行うようにしてもよい。
また、既に説明したように、ユーザは、操作パネル３００を介して、電源オフまでの時間Ｔ１を所望する値に適宜設定することができるため、使い勝手を悪くすることなく装置を使用することができる。
【００１４】
【発明の効果】
本発明の電源遮断装置では、所定時間以上の間、装置の操作が行われない場合には、電源スイッチをオフに切り換えるが、最後の操作から電源スイッチがオフに切り換えられるまでの時間と次に電源が投入されるまでの時間とに基づいて、これら両時間の和が所定の基準値未満の場合には、上記和が上記基準値よりも大きくなるように、次に電源スイッチを切るまでの時間を補正する。従って、無駄な電力の消費を抑えると共に、不必要に電源スイッチがオフに切り換えられるのを抑えて、電源スイッチが劣化するのを防止することができる。
【図面の簡単な説明】
【図１】本発明の電源遮断装置を適用した複写機の断面図である。
【図２】本複写機の回路構成を示す図である。
【図３】制御部のブロック図である。
【図４】操作パネルの正面図である。
【図５】ＣＰＵの実行する制御処理における電源スイッチのオン／オフの状態と、電磁コイルへの電流の供給のタイミングを表す図である。
【図６】自動電源オフ機能を働かせるまでの待機時間をＴ１’に補正した場合のタイミングチャートである。
【図７】ＣＰＵの実行する制御処理のメインルーチンのフローチャートである。
【図８】オフ時間設定処理のフローチャートである。
【図９】自動電源オフ処理のフローチャートである。
【符号の説明】
１００…電源スイッチ
１０２…電磁コイル
１０４…電源検出部
１０５…制御部
１１０…ＣＰＵ
１１１…クロック
１２０…メモリ
２００…負荷
２０１…ＤＣ電源部
２０２…ヒータランプ
２１０…画像読み取り部
２５０…画像形成部
３００…操作パネル
【図１】
0003564925.tif 000002
【図２】
0003564925.tif 000003
【図３】
0003564925.tif 000004
【図４】
0003564925.tif 000005
【図５】
0003564925.tif 000006
【図６】
0003564925.tif 000007
【図７】
0003564925.tif 000008
【図８】
0003564925.tif 000009
【図９】
0003564925.tif 000010